(57)【要約】      （修正有）【課題】電気接触子が設けられた基体と、制御部との間の接続配線を無くすかまたは大幅に減少させることにより、接続配線が嵩張ることがなく、かつ接続配線の電気特性の影響を受け難くなる電気検査装置を提供する。【解決手段】プリント基板１１に形成された複数の電気的接点１１ａに複数の検査プローブ２５の先端部を接触させてプリント基板１１の電気検査を行う電気検査装置１０に、下面に複数の導電部３１ａが配置され、上面に複数の導電部３１ａに連通する電気検査制御部３０が配置された基体３１を設けた。そして、導電部３１ａに、検査プローブ２５の後端部に接続されたワイヤーケーブル２５ａの後端部を接続可能にした。また、電気検査制御部３０を、制御部、接続切換部、計測部、入出力部等を備えた複数の電気部品３２で構成した。【選択図】図２
2010112789.tif 000002
【特許請求の範囲】
【請求項１】
プリント基板に形成された複数の電気的接点に複数の電気接触子の先端部を接触させることにより、前記プリント基板の電気検査を行う電気検査装置であって、
一方の面に前記複数の電気接触子の後端部が接続される複数の導電部が配置され、他方の面に前記複数の導電部に連通する電気検査制御部が配置された基体を備え、前記電気検査制御部に、小型化および高集積化された電気検査計測通信回路が含まれ、かつ前記電気検査制御部が複数の電気部品で構成されていることを特徴とする電気検査装置。
【請求項２】
前記電気検査制御部が、制御部と、前記制御部からの切換指令信号に応じて前記複数の電気接触子の中から任意の電気接触子を選択しその接続を切り換える接続切換部と、前記複数の電気接触子から送られる検査信号を前記接続切換部を介して受信して計測し、計測結果を信号として前記制御部に送る計測部と、前記制御部と前記接続切換部と前記計測部との間にそれぞれ配置され、前記制御部と前記接続切換部と前記計測部との間で各信号の送受信を行う入出力部とのうちの少なくとも前記接続切換部と前記計測部と前記入出力部のうちの所定の入出力部とを備えている請求項１に記載の電気検査装置。
【請求項３】
前記複数の電気接触子が、前記プリント基板の電気的接点の配列に合わせて電気検査治具に配置された複数の検査プローブと、前記複数の検査プローブの後端部に接続されその後端部が前記複数の導電部の配列に合わせて前記電気検査治具に配置された接続配線とで構成された請求項１または２に記載の電気検査装置。
【請求項４】
前記基体に、コネクタを介して配線板を増設可能にし、前記配線板に前記電気検査制御部の一部を配置した請求項１ないし３のうちのいずれか一つに記載の電気検査装置。
【発明の詳細な説明】
【技術分野】
【０００１】
本発明は、プリント基板の電気的接点に電気接触子を接触させることによりプリント基板の電気検査を行う電気検査装置に関する。
【背景技術】
【０００２】
従来から、電極パターンを有するプリント基板の回線を電気導通の有無により検査することが行われており、この場合、プリント基板に設けた電気的接点に電気検査装置の電気接触子を接触させて検査を行っている（例えば、特許文献１）。このプリント基板検査装置（電気検査装置）では、検査用接点（電気接触子）が格子状に取り付けられた絶縁物からなる基体の上面に、基体に対してほぼ垂直になるように、選択回路が設けられた複数のモジュール基板を設け、検査用接点と選択回路とを接続している。また、複数のモジュール基板は、モジュール基板よりも少数のマザーボードに接続され、マザーボードは、外部接続線を介して計測回路およびマイクロコンピュータに接続されている。
【特許文献１】特開昭６２−２６９０７５号公報
【発明の開示】
【０００３】
前述した従来の電気検査装置では、検査用接点が取り付けられた基体に、選択回路が設けられたモジュール基板を直接接続するため、検査用接点と選択回路との間を多量の配線で接続する必要がなくなる。しかしながら、この電気検査装置においても、マザーボードと計測回路との間を多数の外部接続線で接続しなければならず、外部接続線が嵩張ってしまう。このため、電気検査装置の計測回路が配置されて固定された本体側に配線接続した基体側部分を移動させるために長い外部接続線を用いなければならず、外部接続線の引き回し経路が複雑になるとともに、検査用接点から送られる検査信号が、外部接続線の電気特性の影響を受け易くなる。
【０００４】
本発明は、前述した問題に対処するためになされたもので、その目的は、電気接触子が設けられた基体と、周辺制御部との間の接続配線を無くすかまたは大幅に減少させることにより、接続配線が嵩張ることがなく、かつ接続配線の電気特性の影響を受け難くなる電気検査装置を提供することである。
【０００５】
前述した問題を解決するため、本発明に係る電気検査装置の構成上の特徴は、プリント基板に形成された複数の電気的接点に複数の電気接触子の先端部を接触させることにより、プリント基板の電気検査を行う電気検査装置であって、一方の面に複数の電気接触子の後端部が接続される複数の導電部が配置され、他方の面に複数の導電部に連通する電気検査制御部が配置された基体を備え、電気検査制御部に、小型化および高集積化された電気検査計測通信回路が含まれ、かつ電気検査制御部が複数の電気部品で構成されていることにある。
【０００６】
前述のように構成した本発明に係る電気検査装置では、電気接触子が接続される導電部が一方の面に配置された基体の他方の面に電気検査制御部を配置している。したがって、電気検査制御部を、電気検査に必要な電気接触子以外のすべてのもので構成すると接続配線が不要になり、接続配線が嵩張って邪魔になったり、嵩張った多数の接続配線を基体が引きずり回しながら電気検査を行ったりすることがなくなる。また、電気接触子から送られる検査信号が、接続配線の電気特性の影響を受けることもなくなる。
【０００７】
また、本発明に係る電気検査装置では、電気検査制御部に、小型化および高集積化された電気検査計測通信回路が含まれ、かつ電気検査制御部が複数の電気部品で構成されている。これによると、電気検査制御部が備える各種の回路や装置を複数の電気部品に分散させて配置できる。このため、電気検査制御部を小型化して、基体に任意の配置で設置できるようになる。
【０００８】
また、本発明に係る電気検査装置の他の構成上の特徴は、電気検査制御部が、制御部と、制御部からの切換指令信号に応じて複数の電気接触子の中から任意の電気接触子を選択しその接続を切り換える接続切換部と、複数の電気接触子から送られる検査信号を接続切換部を介して受信して計測し、計測結果を信号として制御部に送る計測部と、制御部と接続切換部と計測部との間にそれぞれ配置され、制御部と接続切換部と計測部との間で各信号の送受信を行う入出力部とのうちの少なくとも接続切換部と計測部と入出力部のうちの所定の入出力部とを備えていることにある。
【０００９】
電気検査制御部を、制御部と、接続切換部と、計測部と、入出力部とで構成すると、電気検査を行うために必要な各装置がすべて基体側に設けられて、基体とともに移動するようになるため、各装置間を接続するための接続配線が不要になり、電気接触子から送られる検査信号が、接続配線の影響を受けることもなくなる。また、電気検査制御部を、接続切換部と、計測部と、所定の入出力部とで構成すると、制御部の入出力部と電気検査制御部側の入出力部との間に接続配線が必要になるが、その数は、例えば、従来の電気検査装置の１／２程度ですむため、従来の電気検査装置と比べて大幅に少なくなり、接続配線が嵩張って邪魔になったり、嵩張った多数の接続配線を基体が引きずり回しながら電気検査を行ったりすることがなくなる。また、電気接触子から送られる検査信号が、接続配線の電気特性の影響を受けることも殆どなくなる。
【００１０】
また、本発明に係る電気検査装置のさらに他の構成上の特徴は、複数の電気接触子が、プリント基板の電気的接点の配列に合わせて電気検査治具に配置された複数の検査プローブと、複数の検査プローブの後端部に接続されその後端部が複数の導電部の配列に合わせて電気検査治具に配置された接続配線とで構成されたことにある。この場合、接続配線としては可撓性を備えたものを用いる。これによると、プリント基板の電気的接点の配列と、基体の導電部の配列とが異なっていても、容易に、電気接触子の先端をプリント基板の電気的接点の配列に合わせ、電気接触子の後端を基体の導電部の配列に合わせることができる。
【００１１】
また、本発明に係る電気検査装置のさらに他の構成上の特徴は、基体に、コネクタを介して配線板を増設可能にし、配線板に電気検査制御部の一部を配置したことにある。これによると、電気検査制御部の配置に自由度が増すとともに、種々の機能を備えた回路や装置を適宜増設することができる。
【発明を実施するための最良の形態】
【００１２】
以下、本発明の一実施形態を図面を用いて説明する。図１および図２は、同実施形態に係る電気検査装置１０の要部を示した概略構成図である。この電気検査装置１０は、検査対象物であるプリント基板１１に設けられた電極パターン（図示せず）が適正に導通または絶縁しているかどうかを検査するための装置である。電気検査装置１０は、プリント基板１１を設置する設置装置（図示せず）と、移動装置１２に取り付けられ移動装置１２の駆動によってプリント基板１１の表面に沿って移動する可動部２０と、可動部２０に接続された検査時に移動しない周辺制御部３５とで構成されている。
【００１３】
図示は省略するが、プリント基板１１を設置する設置装置は、間隔を保って平行に配置された一対の第１のレール部と、一対の第１のレール部に、それぞれ移動可能な状態で掛け渡された一対の第２のレール部と、一対の第２のレール部にそれぞれ移動可能に取り付けられた一対の把持部（合計４個）を備えている。そして、駆動部の駆動により、一対の第２のレール部はそれぞれ独立して一対の第１のレール部に沿って移動し、４個の把持部はそれぞれ独立して一対の第２のレール部のいずれかに沿って移動する。
【００１４】
そして、プリント基板１１が板状のものである場合には、一対の第２のレール部および４個の把持部を移動させて、４個の把持部をプリント基板１１の四隅に位置させた状態で、４個の把持部でプリント基板１１の四隅を把持することにより、プリント基板１１を適正な状態で支持することができる。また、プリント基板１１が可撓性のあるシート状のものである場合には、４個の把持部でプリント基板１１の四隅を把持した状態で、一対の第２のレール部および４個の把持部を移動させることにより、プリント基板１１を弛みのない状態で支持することができる。
【００１５】
移動装置１２は、Ｘ軸方向（図１の左右方向で矢印ａで示した方向）に沿って平行に配置された一対のＸ軸レール部１３ａ，１３ｂと、Ｘ軸レール部１３ａ，１３ｂに掛け渡されて、Ｘ軸方向に移動可能に取り付けられたＸ軸実装部１４と、Ｘ軸実装部１４に取り付けられてＹ軸方向（図１の前後方向で矢印ｂで示した方向）に移動可能になったＹ軸実装部１５とを備えている。Ｘ軸実装部１４は、Ｘ軸レール部１３ａ，１３ｂにそれぞれ摺動可能に係合する摺動部１４ａ，１４ｂと、摺動部１４ａ，１４ｂの対向する面に間隔を保って平行に掛け渡された一対のＹ軸レール部１４ｃ，１４ｄとで構成されており、駆動装置（図示せず）の駆動によりＸ軸レール部１３ａ，１３ｂに沿って移動する。
【００１６】
Ｙ軸実装部１５は、Ｙ軸レール部１４ｃ，１４ｄに取り付けられて、Ｙ軸方向に移動可能になった取付用部材で構成されており、Ｙ軸レール部１４ｃ，１４ｄに掛け渡された板状の摺動部１５ａと、可動部２０が取り付けられる枠状部分を備えた取付部１５ｂ（図１では枠状部分を省略している。）とで構成されている。Ｙ軸実装部１５は、駆動装置（図示せず）の駆動によりＹ軸レール部１４ｃ，１４ｄに沿って移動する。また、Ｙ軸実装部１５の取付部１５ｂには、Ｚ軸可動部および旋回軸（図示せず）が設けられており、可動部２０は、旋回軸およびＺ軸可動部を介して取付部１５ｂに連結されている。
【００１７】
Ｚ軸可動部は駆動装置（図示せず）の駆動によりＺ軸方向（図１の上下方向で矢印ｃで示した方向）に移動し、旋回軸は駆動装置（図示せず）の駆動により、水平面上で軸周り方向（図１の矢印ｄで示した方向）に回転する。このため、可動部２０は、各駆動装置の駆動によりＸ軸方向、Ｙ軸方向およびＺ軸方向に移動するとともに、旋回軸を中心に回転する。また、取付部１５ｂには、図２に示したように、軸部１６ａ，１６ｂを介して支持部１７が取り付けられている。
【００１８】
軸部１６ａ，１６ｂは、取付部１５ｂの下面の前後（図２では左右）両側から垂直方向に延びており、支持部１７は、軸部１６ａ，１６ｂの軸芯に沿う方向に移動可能な状態で取り付けられている。支持部１７は、後述する電気検査治具部を支持するもので、間隔を保った状態で対向して配置された左右対称の側枠部１７ａ，１７ｂと、これらの側枠部１７ａ，１７ｂの後端部を連結する連結部（図示せず）とからなる前部が開放された枠体で構成されている。なお、支持部１７にはエアシリンダ（図示せず）が設けられており、エアシリンダの駆動によって、支持部１７は、取付部１５ｂに対して進退する。
【００１９】
可動部２０は、図２に示すように、平行に並んだベースプレート２１と中間プレート２２と下部プレート２３との３つの矩形プレートの組立体で構成された電気検査治具部と、電気検査制御部３０とを備えている。ベースプレート２１は、中央部に略矩形の貫通孔２１ａが穿設された枠状に形成され、支持部１７の側枠部１７ａ，１７ｂに固定されている。中間プレート２２は、ベースプレート２１より薄くて小さいプレートに形成されている。そして、中間プレート２２は、４本の上部支柱２４を介してベースプレート２１の下面に４隅が固定されている。下部プレート２３は、中間プレート２２より小さいプレートに形成され、中間プレート２２の下面に４本の下部支柱２４ａを介して４隅が固定されている。
【００２０】
このため、ベースプレート２１、中間プレート２２および下部プレート２３からなる電気検査治具部は、エアシリンダの駆動によって、支持部１７が上下に移動すると、支持部１７とともに上下に移動する。また、中間プレート２２と下部プレート２３との互いに対向する位置にそれぞれ複数の貫通孔が穿設され、その複数の貫通孔に、複数の検査プローブ２５の両端部がそれぞれ挿入されている。中間プレート２２の複数の貫通孔と、下部プレート２３の複数の貫通孔との配置は、それぞれプリント基板１１に形成された電気的接点１１ａの配置と同じになっており、このため複数の検査プローブ２５の配置も電気的接点１１ａの配置と同じになる。
【００２１】
また、これらの複数の検査プローブ２５の上端部に、可撓性のニクロム線からなるワイヤーケーブル２５ａの先端部（下端部）が電気的に接続され、そのワイヤーケーブル２５ａの後端部（上端部）は、ベースプレート２１の貫通孔２１ａ内を貫通してベースプレート２１の上部に延びている。各ワイヤーケーブル２５ａの後端部は、規則性を備えるようにして所定の位置に配置されている。また、検査プローブ２５の下端部は、下部プレート２３の下面から下方に突出しており、この検査プローブ２５の下端部の突出端が、可動部２０の移動によって、プリント基板１１の電気的接点１１ａに当接する。
【００２２】
検査プローブ２５の下端部は、細い針状に形成されており、可動部２０の移動によって、プリント基板１１の電気的接点１１ａと接触したときに、各検査プローブ２５間が通電され、その電気抵抗値の大小によってプリント基板１１の電極パターンが適正に導通しているか否かを判定する。これは、良品のプリント基板１１の電気抵抗値をもとに検査判定値を設定し、その検査判定値に対する比率で判定される。すなわち、導通検査の場合は、検出した電気抵抗値が検査判定値に対して所定比率以下であれば、良品と判定し、所定比率以上であれば不良品と判定する。また、絶縁検査の場合であれば、検出した電気抵抗値が検査判定値に対して所定比率以上であれば、良品と判定し、所定比率以下であれば不良品と判定する。なお、検査プローブ２５と、ワイヤーケーブル２５ａとで本発明に係る電気接触子が構成される。
【００２３】
電気検査制御部３０は、板状の基体３１の上面に配置された複数の電気部品３２で構成されている。基体３１は、プリント配線板で構成されておりベースプレート２１の上面に対向するようにして、取付部１５ｂの下面にねじ部材（図示せず）によって固定されている。また、基体３１の下面には、複数の導電部３１ａが、ワイヤーケーブル２５ａの後端部と同じ配置で設けられている。各導電部３１ａは、支持部１７が上方に位置したときに、各ワイヤーケーブル２５ａの後端部に接触し、支持部１７が下方に位置したときに、各ワイヤーケーブル２５ａの後端部から離れる。
【００２４】
基体３１は、導体パターンを複数層重ねて形成されており、上下に貫通する複数の小孔や各層に形成されたプリント配線が備わっている。各導電部３１ａは、複数の小孔内に位置する接続部（図示せず）を介して、板状の基体３１の上面に配置された各種の電気部品３２に接続されている。また、所定の電気部品３２間は、プリント配線を介して接続されている。電気検査制御部３０を構成する各電気部品３２は、図３に示したように、基体３１の上面に格子状に配置されており、それぞれが、電気検査に必要な回路や装置からなっている。
【００２５】
各電気部品３２の配置やその機能部材は、適宜設定することができ、例えば、すべての電気部品３２に接続切換部が備わり、そのうちの図３における前列の４個の電気部品３２ａには、計測部が備わるようにすることができる。また、前後方向の中央の列の電気部品３２ｂにはＣＰＵ、電気部品３２ｃにはＲＯＭ、電気部品３２ｄにはＲＡＭ、電気部品３２ｅにはタイマが、それぞれ備わるようにすることができる。また、後列の電気部品３２にも、適宜、所定の回路等を設けることができる。そして、各電気部品３２には、それぞれ他の電気部品３２との間で信号の入出力を行うための入出力部を設けておく。
【００２６】
各電気部品３２が備える接続切換部は、各検査プローブ２５の作動・停止の状態を切り換えるための回路を備えており、電気部品３２ｂのＣＰＵから送られる切換指令信号に応じて内部に設けられたスイッチでその切り換えを行う。また、各接続切換部には、ワイヤーケーブル２５ａおよび導電部３１ａを介して検査プローブ２５から検査信号が送られる。電気部品３２ａが備える計測部は、接続切換部を介して検査プローブ２５から送られる検査信号を計測する回路で構成されており、検査信号を計測し、その結果をＣＰＵに送る。また、電気部品３２ｃが備えるＲＯＭには、設置装置や移動装置１２を作動させるためのプログラムや、接続切換部に検査プローブ２５を切り換えさせるためのタイミングのプログラム等の各種のプログラムが記憶されている。
【００２７】
電気部品３２ｃが備えるＲＡＭには、前述した検出信号等、導通検査を行うために必要な各種のデータが書き換え可能に記憶されている。そして、電気部品３２ｂが備えるＣＰＵは、ＲＯＭおよびＲＡＭが記憶する各種のプログラムやデータに基づいて、電気検査装置１０を制御するとともに、電気部品３２ａが備える計測部が計測した計測結果から検査結果の判定を行う。そして、各電気部品３２は、基体３１に形成されたプリント配線および入出力部を介して互いに、信号の出力や入力を行う。
【００２８】
また、基体３１の一方の角部には、接続端子３３を介して情報伝達ケーブル３４の先端部が接続されており、情報伝達ケーブル３４の後端部に周辺制御部３５が接続されている。この周辺制御部３５は、電気検査制御部３０が行わない電気検査に必要なその他の制御を行う。また、この周辺制御部３５には、周辺機器、例えば、操作者が電気検査装置１０の各操作を行うための操作パネルや、検査結果を表示するための表示パネル等の装置や機器、またはＸ、Ｙ、Ｚ軸の軸制御機器が接続されている。また、情報伝達ケーブル３４としては、電線や光ファイバーが用いられる。
【００２９】
この構成において、電気検査装置１０を用いてプリント基板１１の導通検査を行う場合には、まず、プリント基板１１を、設置装置に設置する。ついで、各駆動装置を駆動させることにより、可動部２０の検査プローブ２５をプリント基板１１における所定の電気的接点１１ａの上方に移動させる。つぎに、可動部２０の電気検査治具部を下降させて、検査プローブ２５の先端部と電気的接点１１ａとを接触させる。この状態でプリント基板１１の電極パターンの電気検査が行われる。
【００３０】
この場合、各駆動装置は、ＣＰＵから送信される指令信号に応じて移動するとともに、検査プローブ２５は、ＣＰＵから送信される切換指令信号に応じた接続切換部の切り換えによって指定されたものが作動する。すなわち、ＣＰＵから送信された指令信号は、デジタル信号として接続切換部に送られる。この信号に基づき、接続切換部がワイヤーケーブル２５ａと導電部３１ａとの接続を切り換えて所定の検査プローブ２５を接続状態にする。その後、検査信号を、接続切換部および検査プローブ２５等を介してプリント基板１１に入力する。この入力された検査信号を、他の接続状態にある検査プローブ２５から取り出し接続切換部を介して計測部に入力し、計測部が計測を行う。
【００３１】
また、プリント基板１１におけるつぎの検査部分の電気検査を行う場合には、再度各駆動装置を駆動させることにより、可動部２０の電気検査治具部を上昇させるとともに、つぎの検査位置に移動させる。そして、電気検査治具部を下降させてその部分の電気検査を行う。そして、前述した操作を順次繰り返していくことにより、プリント基板１１における全ての部分の検査を行う。この場合、基体３１に接続されているのは、情報伝達ケーブル３４だけであるため、可動部２０はスムーズに移動できる。
【００３２】
このように、本実施形態に係る電気検査装置１０は、プリント配線板からなる基体３１の下面に導電部３１ａを設け、この導電部３１ａにワイヤーケーブル２５ａを介して検査プローブ２５を接続している。そして、基体３１の上面に、接続切換部、計測部、ＣＰＵ、ＲＯＭ、ＲＡＭ、タイマ等が内蔵された複数の電気部品３２を配置している。したがって、各装置間を接続するための接続配線が不要になり、接続配線が嵩張って邪魔になったり、嵩張った多数の接続配線を基体が引きずり回しながら電気検査を行ったりすることがなくなる。また、検査プローブ２５から送られる検査信号が、接続配線の電気特性の影響を受けることもなくなり精度のよい検査を行える。
【００３３】
また、図４は本発明の変形例に係る電気検査装置の要部を示している。この電気検査装置では、基体４１の長手方向の長さが中間プレート２２ａの長手方向の長さよりも長く（略２倍）形成されており、基体４１における中間プレート２２ａの上部に対応する一方側部分（図４の手前側部分）は、導電部４１ａを配置するために用いられ、各電気部品４２は、基体４１の上面における他方側部分（図４の後部側部分）に配置されている。この電気検査装置におけるそれ以外の部分の構成については、前述した電気検査装置１０と同一である。したがって、同一部分に同一符号を記して説明は省略する。これによると、スペースに余裕が生じるため、各電気部品４２の取り付けが容易になるとともに、配線の接続状態を目視で確認し易くなる。この電気検査装置のそれ以外の作用効果は、前述した電気検査装置１０と同様である。
【００３４】
図５は、本発明の他の実施形態に係る電気検査装置の要部を示している。この電気検査装置では、基体５１の一方側（図５の手前側）に、４個の電気部品５２が配置され、基体５１の中央部から他方側部分（図５の後部側部分）に４個のコネクタ５３が形成されている。そして、このコネクタ５３にそれぞれ、複数の電気部品５２ａが配置されたプリント配線基板５４が垂直に挿し込まれている。プリント配線基板５４の下端部（図示せず）には、コネクタ５３に接続する接続端子が形成されている。
【００３５】
また、情報伝達ケーブル３４ａが接続される接続端子３３ａは、基体５１の一方側の左の角部に設けられている。この電気検査装置におけるそれ以外の部分の構成については、前述した電気検査装置１０と同一である。したがって、同一部分に同一符号を記して説明は省略する。これによると、多数の電気部品５２ａを設けることができる。この電気検査装置のそれ以外の作用効果は、前述した電気検査装置１０と同様である。
【００３６】
図６は、図５に示した実施形態の変形例に係る電気検査装置の要部を示している。この電気検査装置では、基体６１が、図４に示した基体４１と同じ大きさに形成され、基体６１の他方側に、４個の電気部品６２と、４個のコネクタ６３が配置されている。そして、コネクタ６３にそれぞれ、複数の電気部品６２ａが配置されたプリント配線基板６４が垂直に挿し込まれている。プリント配線基板６４の下端部（図示せず）には、コネクタ６３に接続する接続端子が形成されている。また、情報伝達ケーブル３４ｂが接続される接続端子３３ｂは、基体５１の左中央部分に設けられている。
【００３７】
この電気検査装置におけるそれ以外の部分の構成については、前述した電気検査装置１０と同一である。したがって、同一部分に同一符号を記して説明は省略する。これによると、スペースに余裕が生じるため、各電気部品６２の取り付けが容易になるとともに、さらに多数の電気部品６２ａを設けることができる。この電気検査装置のそれ以外の作用効果は、前述した電気検査装置１０と同様である。
【００３８】
なお、本発明は前述した実施形態に限定するものでなく、適宜変更することができる。例えば、前述した実施形態では、ＣＰＵ、ＲＯＭ、ＲＡＭおよびタイマを、基体３１等に設けているが、これらは、周辺制御部３５内や、周辺制御部３５が配置される装置本体側に設けてもよい。また、前述した実施形態では、各電気部品３２等を複数の機能を備えたもので構成しているが、各電気部品３２等をそれぞれ一つの機能を持つもので構成してもよいし、さらに多数の機能を備えたもので構成してもよい。すなわち、電気検査制御部３０全体として電気検査を行うために必要な機能が備わっていれば、各電気部品３２等の構成については任意に設定できる。また、電気検査制御部を構成する回路や装置として、前述したものの他に、コンデンサ、コイル、ＩＣなどのプリント基板上に実装された素子の電気特性検査を行う回路等を加えることもできる。
【図面の簡単な説明】
【００３９】
【図１】本発明の一実施形態による電気検査装置の要部を示した概略構成図である。
【図２】電気検査装置が備える可動部を示した一部切欠き断面図である。
【図３】基体に設置された電気検査制御部を示した斜視図である。
【図４】変形例の要部を示した斜視図である。
【図５】他の実施形態の要部を示した斜視図である。
【図６】図５に示した実施形態の変形例の要部を示した斜視図である。
【符号の説明】
【００４０】
１０…電気検査装置、１１…プリント基板、１１ａ…電気的接点、２１…ベースプレート、２２，２２ａ…中間プレート、２３…下部プレート、２５…検査プローブ、２５ａ…ワイヤーケーブル、３０…電気検査制御部、３１，４１，５１，６１…基体、３１ａ，４１ａ…導電部、３２，３２ａ，３２ｂ，３２ｃ，３２ｄ，３２ｅ，４２，５２，５２ａ，６２，６２ａ…電気部品、５３，６３…コネクタ、５４，６４…プリント配線基板。
【図１】
2010112789.tif 000003
【図２】
2010112789.tif 000004
【図３】
2010112789.tif 000005
【図４】
2010112789.tif 000006
【図５】
2010112789.tif 000007
【図６】
2010112789.tif 000008